(57)【要約】【課題】照明手段を設けることによる構造の複雑さ若しくは水・油分の付着による不具合を解消したキッチンカウンタを提供すること。【解決手段】カウンタ部２の上面に衝立１０が立設されているとともに、衝立１０を介してカウンタ部２を照らす照明手段１３が、衝立１０の下方に設けられていることにより、衝立１０を介した間接光を用いるため、照度を抑えても、カウンタ部２を十分に照らすことができ、人の目に優しい。また、照明手段１３を上方に設けた場合の支持構造若しくは配線等が不要となり、構造の複雑さ若しくは水・油分の付着による不具合を解消できる。【選択図】図４
2008029610.tif 000002
【特許請求の範囲】
【請求項１】
カウンタ部の上面に衝立が立設されているとともに、該衝立を介して前記カウンタ部を照らす照明手段が、該衝立の下方に設けられていることを特徴とするキッチンカウンタ。
【請求項２】
前記衝立は、仕切板と、前記カウンタ部の上面に設置され前記仕切板の下端部を支持するとともに中空部を有する支持具と、からなり、該支持具の中空部に前記照明手段が設けられていることを特徴とする請求項１に記載のキッチンカウンタ。
【請求項３】
前記仕切板が導光板で形成されているとともに、前記照明手段が前記導光板の下端面に向かって照らしていることを特徴とする請求項２に記載のキッチンカウンタ。
【請求項４】
前記仕切板の下端面における前記照明手段との対向位置に、光拡散部が形成されていることを特徴とする請求項３に記載のキッチンカウンタ。
【請求項５】
前記仕切板の少なくとも上端部から外部に向かって進行する前記照明手段による照光を、前記カウンタ部の前面側に反射させる反射手段が設けられていることを特徴とする請求項３または４に記載のキッチンカウンタ。
【請求項６】
前記仕切板は、ガラス板と、該ガラス板の上端部に設けられたアクリル体とからなるとともに、前記アクリル体の上端面は、前面の上辺から、該上辺より下方に位置する後面の上辺に向かって傾斜するテーパ面に形成されていることを特徴とする請求項５に記載のキッチンカウンタ。
【請求項７】
前記支持具の外面に、上方から下方に向かって前記仕切板から離間するように傾斜する傾斜面が形成されていることを特徴とする請求項２ないし６のいずれかに記載のキッチンカウンタ。
【発明の詳細な説明】
【技術分野】
【０００１】
本発明は、カウンタ部の上面に衝立が立設されているとともに、カウンタ部を照らす照明手段が設けられているキッチンカウンタに関する。
【背景技術】
【０００２】
従来のキッチンカウンタには、カウンタ部の上面に、例えばコンロの後方側に設けた油跳ねガード又はシンクの後方側に設けた水跳ねガードとしての衝立を設置し、この衝立に照明手段を設けてカウンタ部を照明するようにしている（例えば、特許文献１参照）。
【０００３】
【特許文献１】特開２００５−６３８００号公報（第２頁、第１図）
【発明の開示】
【発明が解決しようとする課題】
【０００４】
しかしながら、特許文献１にあっては、カウンタ部の上面に設置した衝立の上部に照明手段を設けており、照明手段を支持するための特段の支持構造若しくは照明手段の配線が、衝立周りに必要となるため、水や油が直接かかるおそれがあるばかりでなく、照明手段を含んだ衝立の構造が複雑となり、見栄えも良いものとはいえなかった。
【０００５】
このようにカウンタ部の上方において、前述の複雑な構造体を衝立周りに設置すると、キッチンの使用による水分・油分等が付着しても拭取り作業が容易でなく、このような付着により照度が低下したり、あるいはショート等の配線トラブルの原因となる虞もあった。
【０００６】
本発明は、このような問題点に着目してなされたもので、衝立周りに照明手段やその他の支持、配線手段を設けることによる構造の複雑さ若しくは水・油分の付着による不具合を解消したキッチンカウンタを提供することを目的とする。
【課題を解決するための手段】
【０００７】
上記課題を解決するために、本発明の請求項１に記載のキッチンカウンタは、カウンタ部の上面に衝立が立設されているとともに、該衝立を介して前記カウンタ部を照らす照明手段が、該衝立の下方に設けられていることを特徴としている。
この特徴によれば、衝立を介した間接光を用いるため、照度を抑えても、カウンタ部を十分に照らすことができ、人の目に優しい。また、照明手段を上方に設けた場合の支持構造若しくは配線等が不要となり、構造の複雑さ若しくは水・油分の付着による不具合を解消できる。
【０００８】
本発明の請求項２に記載のキッチンカウンタは、請求項１に記載のキッチンカウンタであって、前記衝立は、仕切板と、前記カウンタ部の上面に設置され前記仕切板の下端部を支持するとともに中空部を有する支持具と、からなり、該支持具の中空部に前記照明手段が設けられていることを特徴としている。
この特徴によれば、カウンタ部の上面に設置された支持具の中空部を利用して照明手段が設けられているため、照明手段をカウンタ部の下方に備えた場合における天板の加工や天板下の作業が煩わしく無く、カウンタ部の上面において照明手段の配設若しくは発光灯など消耗品の交換・修理等が出来る。
【０００９】
本発明の請求項３に記載のキッチンカウンタは、請求項２に記載のキッチンカウンタであって、前記仕切板が導光板で形成されているとともに、前記照明手段が前記導光板の下端面に向かって照らしていることを特徴としている。
この特徴によれば、中空部内において照明手段が導光板の下端面に向かって照らしているため、衝立に反射する反射光で照らす場合と比べて、照明手段と仕切板との間の遮蔽物の影響を受けることがなく、照明手段の一部として構成した導光板の上端面若しくは側端面等より発光させて、常時安定してキッチンカウンタを照らすことが出来る。
【００１０】
本発明の請求項４に記載のキッチンカウンタは、請求項３に記載のキッチンカウンタであって、前記仕切板の下端面における前記照明手段との対向位置に、光拡散部が形成されていることを特徴としている。
この特徴によれば、光拡散部を利用することにより仕切板の全面に亘り照光を拡散することが出来る。
【００１１】
本発明の請求項５に記載のキッチンカウンタは、請求項３または４に記載のキッチンカウンタであって、前記仕切板の少なくとも上端部から外部に向かって進行する前記照明手段による照光を前記カウンタ部の前面側に反射させる反射手段が設けられていることを特徴としている。
この特徴によれば、仕切板の上端部から外部に向かって進行する照光が、反射手段によりカウンタ部の前面側に向かって進行するため、カウンタ部におけるキッチンの使用箇所を集中して照らすことが出来る。
【００１２】
本発明の請求項６に記載のキッチンカウンタは、請求項５に記載のキッチンカウンタであって、前記仕切板は、ガラス板と、該ガラス板の上端部に設けられたアクリル体とからなるとともに、前記アクリル体の上端面は、前面の上辺から、該上辺より下方に位置する後面の上辺に向かって傾斜するテーパ面に形成されていることを特徴としている。
この特徴によれば、仕切板の上端部をアクリル体で構成しているために、ガラス板と比較して、上端面を、前面の上辺から後面の上辺に向かって傾斜するテーパ面に形成し易く、このテーパ面をカウンタ部の前面側に反射させる反射手段として利用できる。
【００１３】
本発明の請求項７に記載のキッチンカウンタは、請求項２ないし６のいずれかに記載のキッチンカウンタであって、前記支持具の外面に、上方から下方に向かって前記仕切板から離間するように傾斜する傾斜面が形成されていることを特徴としている。
この特徴によれば、カウンタ部から飛散して仕切板の板面に付着し垂下するなどした水滴等の飛散物を、上方から下方に向かって仕切板から離間するように傾斜している支持具の外面を容易に拭き取ることが出来るため、飛散物が仕切板の近傍に滞留せずに、キッチンカウンタの衛生環境を維持できる。
【発明を実施するための最良の形態】
【００１４】
本発明の実施例を以下に説明する。
【実施例】
【００１５】
本発明の実施例を図面に基づいて説明すると、先ず図１は、本発明の実施例におけるキッチンカウンタの全体像を示す斜視図である。図２は、キッチンカウンタの側面図である。図３は、仕切板の正面図及び側面図である。図４は、衝立の側断面図である。図５（ａ）〜（ｃ）は、衝立の組付け状況を示す側断面図である。図６は、仕切板の上端面から発光する状況を示す側断面図である。図７は、仕切板の第１変形例を示す一部側断面図である。図８は、仕切板の第２変形例を示す一部側断面図である。図９は、仕切板の第３変形例を示す一部側断面図である。図１０は、仕切板の第４変形例を示す一部側断面図である。図１１は、仕切板の第５変形例を示す一部側断面図である。
【００１６】
図１に示されるように、本実施例におけるキッチンカウンタ１は、幅方向に延びる箱状に構成されており、前面に適宜開閉扉５ａ若しくは開閉引出し５ｂを備えたキッチンキャビネット５が設けられるとともに、キッチンキャビネット５の上面を構成するカウンタ部２において図示右側に設けたシンク３及び図示左側に設けたコンロ４が設けられている。また、キッチンカウンタ１の右側の後面後方には、特に図示しないが、ダイニングテーブルが配置されているものとする。
【００１７】
図２に示されるように、衝立１０は、カウンタ部２の上面におけるシンク３の後ろ側にて立設されており、いわゆる水跳ねガードとして、後面後方のダイニングテーブル（図示略）側への水分の飛散を防止している。また、後述のように、衝立１０を介してカウンタ部２を照らす照明手段としての照明具１３が、衝立１０の下方に設けられている（図４参照）。
【００１８】
図３及び図４に示されるように、衝立１０について具体的に説明すると、衝立１０は、仕切板１１と、カウンタ部２の上面に設置され仕切板１１の下端部を支持する支持具１２と、からなる。支持具１２は、左右方向に延びるとともに、適所においてボルト１７によりカウンタ部２と螺着されており、仕切板１１の下端部を前後両面１１ｆ、１１ｇから外嵌し、ボルトナット１４により挟持して、仕切板１１をカウンタ部２の上面に対し略直交方向に立設するように支持している。
【００１９】
仕切板１１は、内部に照光を導入させる導光板であるとともに、透明性を備えるアクリル板から成っており、特に前面１１ｆ及び後面１１ｇは凹凸なく鏡面状に形成されている。カウンタ部２前面側のキッチンカウンタ１の使用者から、仕切板１１を見通して、カウンタ部２後面後方のダイニングテーブル（図示略）を見渡せるようになっている。ここで導光板とは、一面から内部に照光を導入させるとともに、他面から外部に該照光を導出させる性質を備えた板のことであって、上記アクリル板に限られず、例えば、ガラス板若しくはプラスチック板等であってもよく、板の素材については特に限定されるものではない。
【００２０】
図４に示されるように、支持具１２は、中空部１５ａを有しており、この中空部１５ａに仕切板１１に沿って左右方向に延びる照明具１３が設けられている。照明具１３は、発光ダイオード（ＬＥＤ）からなる発光体１３ａと、発光体１３ａを保持する保持具１３ｂとを備え、発光体１３ａに電力を供給するケーブルの一端が接続されている。また、ケーブル他端側は、カウンタ部２に形成された挿通孔に挿通されて、キッチンキャビネット内部に設けられた電源トランスに接続されている。照明具１３は、発光体をＯＮ／ＯＦＦさせるタッチ式のスイッチ１８が設けられている。
【００２１】
尚、発光体１３ａは、必ずしも本実施例の発光ダイオードに限定されるものではなく、例えば蛍光灯、電球等、他の公知の発光体であってもよい。また、スイッチは、必ずしも本実施例のタッチ式に限られず、例えばキッチン使用者の手などを検知して制御するセンサ式であってもよい。
【００２２】
次に、衝立１０の組付けについて説明する。
【００２３】
図５（ａ）に示されるように、支持具１２を構成するベース部１５を、パッキンを介してボルト１７によりカウンタ部２に対し螺着する。ベース部１５は断面視中央下部に中空部１５ａを有しており、発光体１３ａが上方を向くようにして中空部１５ａ内に照明具１３を配設する。
【００２４】
次に、仕切板１１の下端面１１ｃが発光体１３ａと近傍位置に配置するように、仕切板１１の下端部において前後両面１１ｆ、１１ｇをベース部１５により外嵌し、パッキンを介してボルトナット１４により挿通孔１１ｅに挿通し、前後両面１１ｆ、１１ｇを螺着して支持する。このように支持した状態において、仕切板１１の下端面１１ｃと発光体１３ａとは近接するように配置される。また、ボルト１７及びボルトナット１４は、キッチンキャビネットの左右方向に所定間隔をあけて適所に設けられている。
【００２５】
このようにすることで、カウンタ部２の上面に設置された支持具１２の中空部１５ａを利用して照明具１３が設けられているため、照明具１３をカウンタ部２の下方に備えた場合におけるカウンタ部２の天板の加工や天板下の作業が煩わしく無く、カウンタ部２の上面において照明具１３の配設若しくは発光灯など消耗品の交換・修理等が出来る。
【００２６】
次に、図５（ｂ）、（ｃ）に示されるように、支持具１２を構成するガード部１６を、仕切板１１の前面１１ｆ側及び後面１１ｇ側から夫々組付ける。具体的には、先ず、ガード部１６上端の凸部１６ｂを対向するベース部１５の凹部１５ｂに嵌合するとともに、ガード部１６下端の凸部１６ｃを対向するベース部１５の凹部１５ｃに嵌合して組付ける。
【００２７】
ガード部１６は、プラスチックなどの公知の樹脂で形成されており、所定の弾性を有しているため、ベース部１５に向けた押圧力に応じて撓るとともに、凸部１６ｃがベース部１５の凹部１５ｃと嵌合する。この嵌合した状態において、ガード部１６の外面には、上方から下方に向かって仕切板１１から離間するように傾斜する傾斜面１６ａが形成されている。
【００２８】
また、仕切板１１とガード部１６との間に左右方向に防水パッキン１９が設置され、カウンタ部２とガード部１６との間に左右方向に防水パッキン２０が設置されている。ガード部１６の上記嵌合とともに、支持具１２内の中空部１５ａへの水分の進入を防止する水密状態となる。
【００２９】
上述した衝立１０は、水跳ねガードとしてシンク３の後面側に立設されており、シンク３の使用により水滴Ｓが飛散して仕切板１１の前面１１ｆ等に付着するが、支持具１２のガード部１６の外面に、上方から下方に向かって仕切板１１から離間するように傾斜する傾斜面１６ａが形成されており、このようにすることで、カウンタ部２から飛散して仕切板１１の前面１１ｆに付着し垂下するなどした水滴Ｓ等の飛散物を、上方から下方に向かって仕切板１１から離間するように傾斜している支持具１２の外面を容易に拭き取ることが出来るため、飛散物が仕切板１１の近傍に滞留せずに、キッチンカウンタ１の衛生環境を維持できる。
【００３０】
更に、傾斜面１６ａは、シンク３に向かって傾斜しているため、水滴Ｓ等の一部は、傾斜面１６ａを利用して上方から下方に向かって垂下して、仕切板１１の前面１１ｆ側のシンク３内に戻すことができる。
【００３１】
次に、照明具１３の使用について説明する。
【００３２】
支持具１２の外面に設けられたスイッチ１８をＯＮ操作することにより、照明具１３に電源が供給され、発光体１３ａが発光する。発光体１３ａはＬＥＤであるため、照光Ｋは指向性を有し拡散せずに一定方向に進行する性質を備えている（図６参照）。
【００３３】
図６に示されるように、発光体１３ａから上方に向かって発せられた照光Ｋは、導光性を有する仕切板１１の下端面１１ｃを照らし、下端面１１ｃから仕切板１１内部に向かって進入する。ここで、仕切板１１の下端面１１ｃにおける照明具１３との対向位置に、光拡散部としての切欠き１１ｄが仕切板１１の左右方向に形成されており（図３参照）、発光体１３ａから発せられた照光Ｋは、この切欠き１１ｄにより左右方向に屈折するとともに、該屈折した方向に進行する。そして照光Ｋの一部は、仕切板１１の前面１１ｆ、後面１１ｇの両面を反射して屈折を繰り返しながら、仕切板１１の上端面１１ａ及び両側端面１１ｂ、１１ｂから、仕切板１１の外部に向かって照らす。
【００３４】
このようにすることで、中空部１５ａ内において照明具１３が仕切板１１の下端面１１ｃに向かって照らしているため、衝立１０に反射する反射光でカウンタ部２を照らす場合と比べて、照明具１３と仕切板１１との間の遮蔽物の影響を受けることがなく、照明具１３の一部として構成した仕切板１１の上端面１１ａ若しくは側端面１１ｂ等より発光させて、常時安定してカウンタ部２を照らすことが出来る。
【００３５】
また、このようにすることで、光拡散部としての切欠き１１ｄを利用することにより、仕切板１１の全面に亘り照光を拡散することが出来る。
【００３６】
尚、仕切板１１の前面１１ｆ及び後面１１ｇは、面上に凹凸部を設けるなどの加工を施しておらず鏡面状に形成されている。前面１１ｆ及び後面１１ｇと略平行に仕切板１１内部を進行する照光は、仕切板１１内部で前面１１ｆと後面１１ｇとを交互に反射して進行を繰り返し、上述のように上端面１１ａ若しくは側端面１１ｂより外部に向けて発光するため、前面１１ｆ及び後面１１ｇから外部に発光する照度は、上端面１１ａ若しくは側端面１１ｂから発光する照度と比べて、格段に低い。
【００３７】
このようにすることで、キッチンカウンタ１の使用に際し、仕切板１１から発光される照光により眩しすぎるという不具合が生じずに快適に使用できるばかりか、シンク３の後面後方のダイニングテーブル（図示略）への視界が確保できる。
【００３８】
仕切板１１の上端面１１ａは、前面１１ｆの上辺から、該上辺より相対的に下方に位置する後面１１ｇの上辺に向かって傾斜するテーパ面に形成されているとともに、このテーパ面に形成された上端面１１ａに、仕切板１１と別体であって反射効率の高い金属プレートからなる反射体２１が貼付されており、上記テーパ面に形成された上端面１１ａと反射体２１とにより、照明具１３による照光Ｋをカウンタ部２の前面側に反射させる反射手段が構成されている。尚、仕切板と別体に設ける反射体は、少なくとも仕切板より反射効率の高い性質を備えていれば、例えば、金属プレートよりも肉薄の金属箔を貼付してもよいし、金属蒸着により仕切板に取付けてもよい。
【００３９】
このようにすることで、仕切板１１の上端面１１ａから外部に向かって進行する照光Ｋが、カウンタ部２の前面側に向かって進行するため、カウンタ部２における使用箇所を集中して照らすことが出来る。
【００４０】
尚、仕切板は必ずしも一体の形状に形成されているに限られず、例えば、仕切板の第１変形例として図７に示されるように、仕切板２４は、平板形状であって上端面が平面のガラス板２５と、このガラス板２５の上端部に設けられたアクリル体２６とからなるとともに、アクリル体２６の上端面２６ｃは、前面２６ａの上辺から、この上辺２６ａより下方に位置する後面２６ｂの上辺に向かって傾斜するテーパ面に形成されている。また、このテーパ面を被覆するように反射手段としての反射板２７を備えた反射体２８が設けられている。
【００４１】
このようにすることで、仕切板２４の上端部をアクリル体２６で構成しているために、ガラス板２５と比較して、上端面２６ｃを、前面２６ａの上辺から後面２６ｂの上辺に向かって傾斜するテーパ面に形成し易く、このテーパ面をカウンタ部の前面側に反射させる反射手段として利用できる。
【００４２】
また、照光をカウンタ部の前面側に反射させる反射手段として、反射体は必ずしも仕切板の上端面に貼付され設けられているとは限られず、例えば、仕切板の第２変形例として図８に示されるように、仕切板３０の平面状に形成された上端面３０ａと離間した上方に位置するように、反射手段としての反射体３１が仕切板３０の上端部に取付けられており、上端面３０ａから仕切板３０の外部上方に向けて進行する照光Ｋをカウンタ部の前面側に反射させてもよい。
【００４３】
また、特に図示しないが、反射体は、仕切板の後面若しくは後面の後方側に位置するように設けられており、このような位置に設けられた反射体により、照光をカウンタ部の前面側に向けて反射させてもよい。
【００４４】
更に、特に図示しないが、反射体は、仕切板の平面状に形成された上端面と離間した所定箇所に固定的に位置するように、仕切板とは別体の支持体により支持されて設けられていてもよい。
【００４５】
上記のように、カウンタ部２の上面に衝立１０が立設されているとともに、この衝立１０を介してカウンタ部２を照らす照明具１３が、衝立１０の下方に設けられ、衝立１０を介した間接光を用いるため、照度を抑えても、カウンタ部２を十分に照らすことができ、人の目に優しい。また、照明手段を上方に設けた場合の支持構造若しくは配線等が不要となり、構造の複雑さ若しくは水・油分の付着による不具合を解消できる。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、上記実施例では、衝立１０は、シンク３の後面側に立設されているが、キッチンカウンタのカウンタ部２の上面に設けられていれば、例えば、コンロ４の後面側に立設されていてもよいし、シンク３やコンロ４を除いた調理スペースの後面側に立設されていてもよい。
【００４８】
また、上記実施例では、仕切板１１は略平板形状であるが、例えば仕切板の第３変形例として図９に示されるように、仕切板３５の上端部が、キッチンカウンタ１のカウンタ部２の前面側に向かって屈曲する反射手段としての屈曲部３５ａを有する形状であってもよい。同様に、仕切板の第４変形例として図１０に示されるように、仕切板４０の上端部が屈曲部４０ａを有し、且つ上端面に反射手段としての反射体４１を設けた形状であってもよい。
【００４９】
このようにすることで、照光Ｋをカウンタ部の前面側に反射させる反射手段として、屈曲部３５ａ、４０ａ、反射体４１を利用することにより、カウンタ部の前面側をより明るく照らすことが出来るばかりか、カウンタ部の前面側における使用で発生する水滴や油滴等の飛散物を、屈曲部３５ａ、４０ａを有する形状の仕切板３５、４０でとらえやすい。
【００５０】
また、特に図示しないが、上記したように仕切板の一部にカウンタ部の前面側に向かって屈曲する屈曲部を有する形状に限られず、例えば、平板状に形成された仕切板が、カウンタ部２の前面側に向かって、所定角度傾斜して支持されていてもよい。
【００５１】
更に、仕切板の第５変形例として図１１に示されるように、仕切板４５の上端面４５ｃが、前面４５ａの最上辺から、この最上辺より相対的に下方に位置する後面４５ｂの上辺に向かって傾斜するテーパ面に形成されているとともに、前面４５ａの上端部に、カウンタ部の前面側に向かって面する複数の帯状の前向面４５ｄを含んだ凹凸部４５ｅが、左右方向に延びており、前向面４５ｄを除く仕切板４５の上端部において、反射手段としての反射体４６が設けられている。
【００５２】
このようにすることで、カウンタ部の前面側に向かって面する凹凸部４５ｅの前向面４５ｄを、発光面として左右方向に複数の帯状に形成できるため、夫々の前向面４５ｄにおいてカウンタ部の前面側に対する角度を変更して、照光Ｋがカウンタ部の前面側を照らす箇所を適宜設定できる。
【００５３】
また、上記実施例では、仕切板１１は、導光性を有しているとともに、透明性を備えており、下端面１１ｃから内部に照光を導入させて、上端面１１ａ若しくは側端面１１ｂ等から発光させているが、例えば仕切板は、導光性及び透明性を有しておらず、該仕切板を構成する衝立の下方に設けた照明手段により、衝立を照らし反射させて、カウンタ部を照らすようにしてもよい。
【００５４】
更に、上記実施例では、仕切板１１の前面１１ｆ及び後面１１ｇは、鏡面状に形成されているため、下端面１１ｃより仕切板１１内部を前面１１ｆと後面１１ｇとを反射しながら進行する照光は、前面１１ｆ及び後面１１ｇから外部に向けてほとんど発光しないが、例えば、前面１１ｆ若しくは後面１１ｇにドット状に凹凸部が形成される等、公知の粗面加工が施されており、前面１１ｆと後面１１ｇとを反射しながら進行する照光の一部が、前面１１ｆ若しくは後面１１ｇから外部に向けて、所定の照度で発光するようにしてもよい。
【００５５】
また、上記実施例では、仕切板１１の下端面１１ｃに光拡散部としての切欠き１１ｄが形成されており、照明手段により下端面１１ｃに進行する照光が、仕切板１１の左右方向に拡散するように成っているが、例えば、下端面１１ｃに光拡散部として、凸状片が形成されてもよいし、光拡散部は、照光を仕切板１１の前後方向に拡散させるものであってもよい。
【００５６】
また、上記実施例では、衝立１０の後方にダイニングテーブル（図示略）が配置されているが、水や油を飛散することを防止する衝立の後方の対象物としては、必ずしもダイニングテーブルに限られず、例えば、衝立の後方が壁面であってもよい。
【図面の簡単な説明】
【００５７】
【図１】本発明の実施例におけるキッチンカウンタの全体像を示す斜視図である。
【図２】キッチンカウンタの側面図である。
【図３】仕切板の正面図及び側面図である。
【図４】衝立の側断面図である。
【図５】（ａ）〜（ｃ）は、衝立の組付け状況を示す側断面図である。
【図６】仕切板の上端面から発光する状況を示す側断面図である。
【図７】仕切板の第１変形例を示す一部側断面図である。
【図８】仕切板の第２変形例を示す一部側断面図である。
【図９】仕切板の第３変形例を示す一部側断面図である。
【図１０】仕切板の第４変形例を示す一部側断面図である。
【図１１】仕切板の第５変形例を示す一部側断面図である。
【符号の説明】
【００５８】
１                キッチンカウンタ
２                カウンタ部
３                シンク
４                コンロ
５                キッチンキャビネット
１０              衝立
１１              仕切板
１１ａ            上端面
１１ｂ            側端面
１１ｃ            下端面
１１ｄ            切欠き（光拡散部）
１１ｆ            前面
１１ｇ            後面
１２              支持具
１３              照明具（照明手段）
１３ａ            発光体
１３ｂ            保持具
１５              ベース部
１５ａ            中空部
１６              ガード部
１６ａ            傾斜面
１８              スイッチ
２１              反射体（反射手段）
２４              仕切板
２５              ガラス板
２６              アクリル体
２７              反射板（反射手段）
３０              仕切板
３１              反射体（反射手段）
３５              仕切板
３５ａ            屈曲部（反射手段）
４０              仕切板
４０ａ            屈曲部（反射手段）
４１              反射体（反射手段）
４５              仕切板
４５ｄ            前向面
４５ｅ            凹凸部
４６              反射体（反射手段）
Ｋ                照光
Ｓ                水滴
【図１】
2008029610.tif 000003
【図２】
2008029610.tif 000004
【図３】
2008029610.tif 000005
【図４】
2008029610.tif 000006
【図５】
2008029610.tif 000007
【図６】
2008029610.tif 000008
【図７】
2008029610.tif 000009
【図８】
2008029610.tif 000010
【図９】
2008029610.tif 000011
【図１０】
2008029610.tif 000012
【図１１】
2008029610.tif 000013